(57)【要約】      （修正有）【課題】機密原稿を複製しようとした際、セキュリティタグとなる認証印刷用画像の提示を求めるため、オペレータ以外の第三者により不正に複製されることを防止することができる画像形成装置を提供する。【解決手段】機密原稿を読み取るための原稿読取り手段と、認証印刷用画像を読み取るための認証印刷用画像読取り手段と、認証印刷用画像を作成する画像形成部１１と、を有する画像形成装置１は、機密原稿情報と認証印刷用画像情報とを記憶する画像情報記憶部８と、機密原稿情報と認証印刷用画像情報とが一致するか否かを特定するための特定部９と、特定部９により、機密原稿情報と認証印刷用画像情報とが一致した場合、印刷を認証する認証部１０と、画像形成装置全体の動作を制御する本体制御部と、を有し、本体制御部は認証部１０によって印刷が認証された場合、画像形成部１１に対して画像情報の印刷を要求する。【選択図】図１
2014239398.tif 000002
【特許請求の範囲】
【請求項１】
機密原稿を読み取るための原稿読取り手段と、認証印刷用画像を読み取るための認証印刷用画像読取り手段と、前記原稿読取り手段によって読み取られた機密原稿情報に対応した認証印刷用画像を作成する画像作成手段と、を有する画像形成装置であって、
前記機密原稿情報と前記認証印刷用画像読取り手段によって読み取られた認証印刷用画像情報とを記憶する画像情報記憶手段と、
前記機密原稿情報と前記認証印刷用画像情報とが一致するか否かを特定するための特定手段と、
該特定手段により、前記機密原稿情報と前記認証印刷用画像情報とが一致した場合、印刷を認証する認証手段と、
画像形成装置全体の動作を制御する制御手段と、を有し、
該制御手段は前記認証手段によって印刷が認証された場合、前記画像作成手段に対して画像情報の印刷を要求することを特徴とする画像形成装置。
【請求項２】
前記認証印刷用画像読取り手段は、前記機密原稿を印刷する際に圧板上に前記認証印刷用画像を配置し、
前記制御手段は、前記読み取られた圧板上の画像が認証印刷用画像だった場合に印刷を行い、前記読み取られた圧板上の画像が認証印刷用画像ではなかった場合は印刷を行わない制御をすることを特徴とする請求項１記載の画像形成装置。
【請求項３】
前記原稿読取り手段は前記圧板の上方向に備えられた原稿送り装置にセットした原稿を、前記認証印刷用画像読取り手段は前記圧板上に配置した認証印刷用画像を、同時に読み取ることを特徴とする請求項２記載の画像形成装置。
【請求項４】
前記画像作成手段は、前記認証印刷用画像を原稿１枚毎、印刷毎、ユーザ毎に設定して作成できることを特徴とする請求項１〜３のいずれか１項に記載の画像形成装置。
【請求項５】
前記制御手段は、所定の時間が経過すると前記認証印刷用画像情報を前記画像情報記憶手段から削除することを特徴とする請求項１〜４のいずれか１項に記載の画像形成装置。
【請求項６】
読み取った画像の色成分を算出し、算出結果から画像情報を抽出する画像情報抽出手段を有し、
該画像情報抽出手段は前記原稿読取り手段によって読取られた機密原稿情報から、ＲＧＢ成分の平均値をとり、
前記画像作成手段は、前記ＲＧＢ平均値から認証印刷用画像を作成することを特徴とする請求項１〜５のいずれか１項に記載の画像形成装置。
【請求項７】
前記画像作成手段は、前記認証印刷用画像を作成する際、認証印刷用画像であることが認識できる認証印刷用画像用パターンを印刷しておくことを特徴とする請求項１〜６のいずれか１項に記載の画像形成装置。
【請求項８】
前記制御手段は、前記認証印刷用画像読取り手段にて認証印刷用画像を読み取ろうとした際、前記認証印刷用画像用パターンが印刷されていない場合は、読み取り不可であることを警告することを特徴とする請求項１〜７のいずれか１項に記載の画像形成装置。
【発明の詳細な説明】
【技術分野】
【０００１】
本発明は、機密文書の複写時におけるセキュリティ機能を備えた画像形成装置に関する。
【背景技術】
【０００２】
印刷を依頼したオペレータではない第三者に印刷物が不正に複製されるのを防止するために、プリンタ等の画像形成装置に設けられた画像読取り装置は、例えば、認証印刷の際に認証印刷情報格納メモリに記憶されている情報を、画像形成装置に設けられた非接触の集積回路（以下、「ＩＣ」）カードの読取り部に、使用者が携帯する非接触型ＩＣカードを照合して、個人を認証し、認証印刷を行う技術が既に知られている。
【０００３】
特許文献１には、記憶用ＩＣチップと通信用アンテナとを内蔵した情報記録媒体である原稿ＲＦＩＤタグとユーザＲＦＩＤタグおよびＲＦＩＤリーダを用いて、記憶用ＩＣチップ中に記憶された情報を、通信用アンテナを介してＲＦＩＤリーダによって読み取ることができる印刷装置が開示されている。
【発明の概要】
【発明が解決しようとする課題】
【０００４】
しかし、従来技術や特許文献１に開示された技術では、今までの非接触型ＩＣカードやＲＦＩＤタグを用いた認証印刷を行うためには、非接触型ＩＣカードやＲＦＩＤタグを作成し用意する必要があることと、非接触型ＩＣカードやＲＦＩＤタグを読み取る外部入力装置が必要であるという問題があった。
【０００５】
本発明は、前記課題を解決するためのものであり、その目的とするところは、機密原稿を複製しようとした際、セキュリティタグとなる認証印刷用画像の提示を求めるため、オペレータ以外の第三者により不正に複製されることを防止することができる画像形成装置を提供することである。
【０００６】
本発明では、機密原稿を複製しようとした際、セキュリティタグとなる認証印刷用画像の提示を求めるため、オペレータ以外の第三者により不正に複製されることを防止することができる画像形成装置の提供を可能とすることを目的としている。
【課題を解決するための手段】
【０００７】
かかる目的を達成するために、本発明は、以下の特徴を有する。
【０００８】
本発明に係る画像形成装置は、機密原稿を読み取るための原稿読取り手段と、認証印刷用画像を読み取るための認証印刷用画像読取り手段と、前記原稿読取り手段によって読み取られた機密原稿情報に対応した認証印刷用画像を作成する画像作成手段と、を有する画像形成装置であって、前記機密原稿情報と前記認証印刷用画像読取り手段によって読み取られた認証印刷用画像情報とを記憶する画像情報記憶手段と、前記機密原稿情報と前記認証印刷用画像情報とが一致するか否かを特定するための特定手段と、該特定手段により、前記機密原稿情報と前記認証印刷用画像情報とが一致した場合、印刷を認証する認証手段と、画像形成装置全体の動作を制御する制御手段と、を有し、該制御手段は前記認証手段によって印刷が認証された場合、前記画像作成手段に対して画像情報の印刷を要求することを特徴とする。
【発明の効果】
【０００９】
本発明によれば、機密原稿を複製しようとした際、セキュリティタグとなる認証印刷用画像の提示を求めるため、オペレータ以外の第三者により不正に複製されることを防止することができる。
【図面の簡単な説明】
【００１０】
【図１】本実施形態に係る画像形成装置の構成を示す概略図である。
【図２】本実施形態に係る原稿読取り手段と認証印刷用画像読取り手段とを示す概略図である。
【図３】本実施形態に係る認証印刷用画像の配置について説明する図である。
【図４】本実施形態に係る画像形成装置の本体制御の構成を示すブロック図である。
【図５】機密原稿印刷時の生成物を示す図である。
【図６】第一工程である機密原稿読取り時を示す概念図である。
【図７】機密原稿読取り時のフローチャートである。
【図８】第二工程である機密原稿複製時を示す概念図である。
【図９】機密原稿複製時のフローチャートである。
【発明を実施するための形態】
【００１１】
以下、本実施形態について図面により詳細に説明する。
【００１２】
図１は、本実施形態に係る画像形成装置１の構成を示す概略図である。画像形成装置１は、原稿をセットし読み取るための原稿読取り手段としてＡＤＦ２(オートドキュメントフィーダ)と、認証印刷用画像読取り手段として圧板３（プラテン）と、操作パネル４と、受信部５と、読取った画像の色成分を算出する色成分算出部６と算出結果から画像情報を抽出する画像情報算出部７とを有する画像情報抽出手段と、抽出された画像情報を保存しておくための画像情報保存手段として画像情報記憶部８（メモリ）と、特定手段である特定部９と、認証手段である認証部１０と、印刷するための画像作成手段である画像形成部１１と、を有している。
【００１３】
図２は、本実施形態に係る原稿読取り手段と認証印刷用画像読取り手段とを示す概略図である。原稿送り装置であるＡＤＦ２の上部に用紙積載部２１を備え、ＡＤＦ２の内部には、用紙積載部２１から用紙搬送路２２が設けられている。用紙搬送路２２の途中に原稿読取り手段としてＣＩＳ２３（密着センサ）が設置され、原稿はＣＩＳ２３により読み取られる。原稿は用紙搬送路２２を通過し、ＡＤＦ２の下部にある用紙積載部２４に排出される。
【００１４】
また、ＡＤＦ２の下に位置する圧板３の内部には、認証印刷用画像読取り手段としてＣＣＤ２５（縮小光学系）が設置されている。圧板３の上面の認証印刷用画像読み取り位置に配置された認証印刷用画像に、光源２６は光を照射し、光はミラー２７で反射され、反射光は集光レンズ２８を通過してＣＣＤ２５に入射される。
【００１５】
図３は、本実施形態に係る認証印刷用画像３１の配置について説明する図である。認証印刷用画像３１は、認証印刷用画像読取り手段である圧板３の上面３４に配置されている。ＡＤＦ２と圧板３とは一端がヒンジ３２で固定され、ＡＤＦ２は開閉可能である。原稿３３は、ＡＤＦ２の上部の用紙積載部２１に配置されている。
【００１６】
ＡＤＦ２に原稿３３をセットし、圧板３の上面３４に認証印刷用画像３１をセットすることにより、一度の読み取り動作で、原稿３３と認証印刷用画像３１の同時読み取りを可能としている。
【００１７】
図４は、本実施形態に係る画像形成装置の本体制御の構成を示すブロック図である。画像形成装置は、各ブロックを制御する本体制御部４１を備えており、各ブロックはこの本体制御部からの指示により動作を行う。本体制御部４１で実施する各ブロックの協調動作によって画像形成を実現する。各ブロックは、画像読取り部４２と色成分算出部６と画像情報算出部７と画像情報記憶部８と画像形成部１１と特定部９と認証部１０と操作部４３と表示部４４とを含んで構成される。
【００１８】
画像読取り部４２は、原稿読取り手段に設置した原稿と認証印刷用画像読取り手段に設置して認証印刷用画像を読み取ることを主目的とする。色成分算出部６は読取った画像からＲ（赤）、Ｇ（緑）、Ｂ（青）の色成分から、ＲＧＢ平均値（グレースケール情報）を算出することを主目的とする。
【００１９】
画像情報算出部７は算出されたＲＧＢ平均値から値ごとに画像情報を算出することを主目的とする。画像情報記憶部８は算出された画像パターン情報を入力保持することを主目的とする。画像形成部１１は用紙へ画像を形成することを主目的とする。
【００２０】
特定部９は読取った画像（原稿、認証印刷用画像）から算出した画像情報が画像情報記憶ブロックに保存してある画像情報一覧から一致するものを特定することを主目的とする。認証部１０は特定ブロックによって読取った画像が機密原稿であると特定された場合に、印刷を認証することを主目的とする。
【００２１】
操作部４３は原稿の読み取り設定や印刷設定等の各種設定を操作することを主目的とし、本実施形態においては機密原稿かどうかの設定を目的とする。表示部４４は本画像形成装置の持つ各種情報をユーザに提示することを主目的する。
【００２２】
図５は、機密原稿印刷時の生成物を示す図である。複製前の機密原稿６１（原本）をコピーすることで、生成物６２が出力される。生成物６２には、認証印刷用画像６３であることが認識できる認証印刷用画像用パターンが印刷されている。
【００２３】
図６は、第一工程である機密原稿読取り時を示す概念図である。機密原稿Ａは機密原稿設定をした後、圧板３のスキャナで原稿読取り処理を開始する。原稿読取り処理が開始すると、プリンタ７１は、まず色成分算出部６で読み取った画像から色成分を抽出しＲＧＢ平均値を算出し、画像情報算出部７で算出されたＲＧＢ平均値から画像情報を算出する。
【００２４】
機密原稿を読み取った際に、ＲＧＢ成分を抽出しＲＧＢ平均値をとることにより、そのＲＧＢ平均値から認証印刷用画像を形成することができ、原稿毎に認証印刷用画像を管理することができる。
【００２５】
算出した画像情報は、画像情報記憶部８に保存される。画像情報記憶部８（メモリ）に保存されている画像情報から認証印刷用画像Ａを作成し、プリンタ７１は認証印刷用画像Ａを画像情報記憶部８に保存する。本体制御部４１は画像形成部１１に対して認証印刷用画像印刷を要求し、プリンタ７１は認証印刷用画像Ａを印刷する。
【００２６】
認証印刷用画像を作成する際、認証印刷用画像であることが認識できる認証印刷用画像用パターンを印刷することにより、非接触型ＩＣカードの様な外部機器を用いずとも、認証印刷を実行することが可能になる。
【００２７】
また、画像作成部４６は、認証印刷用画像を原稿１枚毎、印刷毎、ユーザ毎に設定して作成できる。これにより機密原稿１枚毎だけでなく、複数枚毎やユーザ毎に機密原稿の複製を可能にする。
【００２８】
図７は、機密原稿（原本）読取り時のフローチャートである。まず、ＡＤＦ２または圧板３上に原稿をセットし（ステップＳ１）、原稿が機密原稿であるか判断する（ステップＳ２）。
【００２９】
原稿が機密原稿であれば（ステップＳ２、Ｙｅｓ）、機密原稿設定をした後（ステップＳ３）、原稿読取り処理を開始する（ステップＳ４）。原稿読取り処理が開始すると、まず色成分算出部６で読み取った画像から色成分を抽出し、ＲＧＢ平均値を算出する（ステップＳ５）。画像情報算出部７で算出されたＲＧＢ平均値から画像情報を算出する（ステップＳ６）。
【００３０】
その後、特定部９によって機密原稿かどうかの判断を実施し（ステップＳ７）、機密原稿ではなかった場合は（ステップＳ７、Ｎｏ）、本体制御部４１はそのまま原稿印刷を画像形成部１１に要求し（ステップＳ１３）、終了する。
【００３１】
機密原稿だった場合は（ステップＳ７、Ｙｅｓ）、ステップＳ６で算出した画像情報を画像情報記憶部８に保存する（ステップＳ８）。画像情報記憶部８に保存されている画像情報から認証印刷用画像を作成し（ステップＳ９）、認証印刷用画像を保存し（ステップＳ１０）、画像形成部１１に対して認証印刷用画像印刷を要求する（ステップＳ１１）。その際、認証印刷用画像印刷時刻を更新設定する（ステップＳ１２）。
【００３２】
図８は、第二工程である機密原稿複製時を示す概念図である。ＡＤＦ２に機密原稿Ａをセットし、次に圧板３上に認証印刷用画像Ａをセットする。セットが完了したら同時に読取り処理を開始しする。プリンタ７１は、色成分算出部６で色成分を算出し、画像情報算出部７で画像情報算出を実行し、算出された画像情報と画像情報記憶部８（メモリ）に保存されている画像情報から特定部９で画像情報を特定する。次に、プリンタ７１は認証部１０で印刷認証をして、機密原稿Ｂを印刷する。
ＡＤＦ２にセットした機密原稿と圧版３にセットした認証印刷用画像を同時に読み取ることが可能であり、ユーザの利便性が向上する。
【００３３】
図９は、機密原稿複製時のフローチャートである。まず、ＡＤＦ２に原稿をセットし（ステップＳ２１）、次に圧板３上に認証印刷用画像をセットする（ステップＳ２２）。セットが完了したら読取り処理を開始し（ステップＳ２３）、色成分算出部６で色成分を算出し（ステップＳ２４）、画像情報算出部７で画像情報算出を実行し（ステップＳ２５）、算出された画像情報と画像情報記憶部８に保存されている画像情報から、読み取ろうとした原稿が機密文書かどうかの判断を実施する（ステップＳ２６）。
【００３４】
原稿が機密文書ではなかった場合は（ステップＳ２６、Ｎｏ）、本体制御部４１はそのまま原稿印刷を画像形成部１１に要求し、原稿印刷を実行し（ステップＳ３３）、終了する。機密文書であった場合は（ステップＳ２６、Ｙｅｓ）、圧版３上にセットしてある認証印刷用画像を読み取り（ステップＳ２７）、読み取った画像が認証印刷用画像かどうかの判断を実施する（ステップＳ２８）。
【００３５】
読み取った画像が認証印刷用画像であった場合は（ステップＳ２８、Ｙｅｓ）、認証印刷用画像使用可能時間が経過しているかを判断し（ステップＳ２９）、使用可能時刻未経過だった場合は（ステップＳ２９、Ｙｅｓ）、本体制御部４１は画像形成部１１に対して原稿印刷要求を出して原稿印刷を実行する（ステップＳ３３）。
【００３６】
認証印刷用画像の使用可能時刻が経過していた場合は（ステップＳ２９、Ｎｏ）、認証印刷用画像情報が削除されるので、操作パネル４上に認証印刷用画像の再作成要求を実行する（ステップＳ３０）。
【００３７】
機密原稿を読取った際に作成される認証印刷用画像の使用可能時間を設定保持することにより、所定時間経過後に機密原稿を複製しようとした際、認証印刷用画像をセットしたとしても印刷動作を実行しないため、セキュリティタグとなる認証印刷用画像の長期間の使い回しを防止することができる。
【００３８】
読み取りを継続する場合は（ステップＳ３２、Ｎｏ）、改めて圧版３上に認証印刷用画像をセットし（ステップＳ２２）、読み取り処理から実行し直す。読み取りを継続しない場合は（ステップＳ３２、Ｙｅｓ）、原稿印刷を実行せずに終了する。
読み取った画像が認証印刷用画像ではなかった場合は（ステップＳ２８、Ｎｏ）、操作パネル４上に認証印刷用画像セット要求を実行する（ステップＳ３１）。
【００３９】
機密原稿を複製する際に、認証印刷用画像がセットされていなかった場合、操作パネル４などの表示部４４や警告音にて複製不可であることを警告する。これにより、オペレータ以外の第三者による不正複製を防止することができる。
【００４０】
読み取りを継続する場合は（ステップＳ３２、Ｎｏ）、改めて圧版３上に認証印刷用画像をセットし（ステップＳ２２）、読み取り処理から実行し直す。読み取りを継続しない場合は（ステップＳ３２、Ｙｅｓ）、原稿印刷を実行せずに終了する。（請求項２）機密原稿を複製しようとした際、圧版３上に認証印刷用画像がセットされていないと判断された場合、印刷動作を実行しないため、不正複製を防止することができる。
【００４１】
本実施形態によれば、機密原稿を複製しようとした際、セキュリティタグとなる認証印刷用画像の提示を求め、スキャナ（ＡＤＦ２）のＣＩＳ２３（密着センサ）を利用することで、圧板３に置いたセキュリティタグと同時に原稿を読み取ることができ、オペレータ以外の第三者により不正に複製されることを防止することができる。認証印刷を行う際に非接触型ＩＣカードのような外部機器を用いずとも、必要なセキュリティタグを画像形成装置単体で作成することができる。
【００４２】
なお、上述した実施の形態は、本発明の好適な実施の形態の一例を示すものであり、本発明はそれに限定されることなく、その要旨を逸脱しない範囲内において、種々変形実施が可能である。
【符号の説明】
【００４３】
１    画像形成装置
２    ＡＤＦ
３    圧板
６    色成分算出部
７    画像情報算出部
８    画像情報記憶部
９    特定部
１０    認証部
２３    ＣＩＳ
２５    ＣＣＤ
４１    本体制御部
４２    画像読取り部
４３    画像情報記憶部
４４    色成分算出部
４５    画像情報算出部
４６    画像形成部
４７    操作部
４８    表示部
４９    特定部
５０    認証部
６１    機密原稿
６３    認証印刷用画像
７１    プリンタ
【先行技術文献】
【特許文献】
【００４４】
【特許文献１】特開２００６−０８８６６６号公報
【図１】
2014239398.tif 000003
【図２】
2014239398.tif 000004
【図３】
2014239398.tif 000005
【図４】
2014239398.tif 000006
【図５】
2014239398.tif 000007
【図６】
2014239398.tif 000008
【図７】
2014239398.tif 000009
【図８】
2014239398.tif 000010
【図９】
2014239398.tif 000011